(57)【要約】【課題】モータと制御器との連結が容易であるモータアセンブリーを提供する。【解決手段】本発明のモータアセンブリーは、モータＭの固定子に備えられ、前記固定子に巻き取られたコイル２１と電気的に連結されるターミナル端子３０と、ターミナル端子３０が結合されて電気的に接続される結合孔が形成されており、ターミナル端子３０への電気的入出力を制御する制御器４０と、を含むものである。【選択図】図１
2015128371.tif 000002
【特許請求の範囲】
【請求項１】
モータの固定子に備えられ、前記固定子に巻き取られたコイルと電気的に連結されるターミナル端子と、
前記ターミナル端子が結合されて電気的に接続される結合孔が形成されており、前記ターミナル端子への電気的入出力を制御する制御器と、を含むモータアセンブリー。
【請求項２】
前記ターミナル端子は、前記固定子の端部に形成され、前記制御器の方向に突出して形成される、請求項１に記載のモータアセンブリー。
【請求項３】
前記ターミナル端子はピン状に形成される、請求項２に記載のモータアセンブリー。
【請求項４】
前記結合孔は、前記ターミナル端子に対応する形状に形成される、請求項３に記載のモータアセンブリー。
【請求項５】
前記制御器はＰＣＢを含む、請求項１に記載のモータアセンブリー。
【請求項６】
前記ターミナル端子は、前記制御器から離脱されないように、端部に形成された係止部をさらに含む、請求項１に記載のモータアセンブリー。
【請求項７】
前記係止部は一対からなる、請求項６に記載のモータアセンブリー。
【請求項８】
一対の前記係止部には、互いに離れる方向に係止突起が突出形成される、請求項７に記載のモータアセンブリー。
【請求項９】
一対の前記係止部は、互いに並び方向に備えられ、かつ互いに所定間隔離間するように形成される、請求項８に記載のモータアセンブリー。
【請求項１０】
前記係止突起は三角形状に形成される、請求項９に記載のモータアセンブリー。
【請求項１１】
前記係止突起は、直角三角形状に形成され、かつ前記係止部の端部に向かって幅が次第に細くなる形状に形成される、請求項９に記載のモータアセンブリー。
【請求項１２】
モータに備えられ、前記モータの駆動電源を供給するためのターミナル端子と、
前記ターミナル端子が結合される結合孔が形成されており、前記ターミナル端子と電気的に接続される制御器と、を含むモータアセンブリー。
【請求項１３】
前記ターミナル端子は、前記モータの固定子に巻き取られたコイルと電気的に連結される、請求項１２に記載のモータアセンブリー。
【請求項１４】
前記ターミナル端子は、前記固定子の端部に形成され、前記制御器の方向に突出して形成される、請求項１３に記載のモータアセンブリー。
【請求項１５】
前記ターミナル端子はピン状に形成される、請求項１２に記載のモータアセンブリー。
【請求項１６】
前記結合孔は、前記ターミナル端子に対応する形状に形成される、請求項１２に記載のモータアセンブリー。
【請求項１７】
前記制御器はＰＣＢを含む、請求項１２に記載のモータアセンブリー。
【請求項１８】
前記ターミナル端子は、前記制御器から離脱されないように、端部に形成された一対の係止部をさらに含む、請求項１２に記載のモータアセンブリー。
【請求項１９】
一対の前記係止部には、互いに離れる方向に係止突起が突出形成される、請求項１８に記載のモータアセンブリー。
【発明の詳細な説明】
【技術分野】
【０００１】
本発明は、モータアセンブリーに関する。
【背景技術】
【０００２】
通常のスイッチドリラクタンスモータ（Ｓｗｉｔｃｈｅｄ  Ｒｅｌｕｃｔａｎｃｅ  Ｍｏｔｏｒ）は、固定子及び回転子が両方とも突極（ｓａｌｉｅｎｔ）である磁気構造を有しており、固定子に集中巻のコイルが巻取されていて、回転子は如何なる励磁装置（巻線または永久磁石など）もなく鉄心のみで構成されているため、価格競争力に優れたモータである。
【０００３】
特に、速度可変型スイッチドリラクタンスモータは、電力半導体を用いたコンバータ及び回転子の位置を検知するセンサにより、連続的なトルクを安定して発生し、各応用分野で要求される性能に応じた制御が容易である。
【０００４】
また、通常のスイッチドリラクタンスモータは、モータと制御器とが分離されて電線により連結された構造を有する（例えば、特許文献１参照）。このような従来のモータと制御器との連結構造は、部品数が多く、組み立て工程が複雑であるという問題がある。また、これにより、モータの長さが長くなり、重量及び価格が上昇するという問題がある。
【先行技術文献】
【特許文献】
【０００５】
【特許文献１】韓国公開特許第２００９−０１０４７８６号公報
【発明の概要】
【発明が解決しようとする課題】
【０００６】
本発明の目的は、モータと制御器との連結が容易であるモータアセンブリーを提供することにある。
【課題を解決するための手段】
【０００７】
本発明の一実施例によるモータアセンブリーは、モータの固定子に備えられ、前記固定子に巻き取られたコイルと電気的に連結されるターミナル端子と、前記ターミナル端子が結合されて電気的に接続される結合孔が形成されており、前記ターミナル端子への電気的入出力を制御する制御器と、を含むものである。
【０００８】
また、本発明の一実施例によるモータアセンブリーにおいて、前記ターミナル端子は、前記固定子の端部に形成され、前記制御器の方向に突出して形成されることができる。
【０００９】
また、本発明の一実施例によるモータアセンブリーにおいて、前記ターミナル端子はピン状に形成されることができる。
【００１０】
また、本発明の一実施例によるモータアセンブリーにおいて、前記結合孔は、前記ターミナル端子に対応する形状に形成されることができる。
【００１１】
また、本発明の一実施例によるモータアセンブリーにおいて、前記制御器はＰＣＢを含むことができる。
【００１２】
また、本発明の一実施例によるモータアセンブリーにおいて、前記ターミナル端子は、前記制御器から離脱されないように、端部に形成された係止部をさらに含むことができる。
【００１３】
また、本発明の一実施例によるモータアセンブリーにおいて、前記係止部は一対からなることができる。
【００１４】
また、本発明の一実施例によるモータアセンブリーにおいて、一対の前記係止部には、互いに離れる方向に係止突起が突出形成されることができる。
【００１５】
また、本発明の一実施例によるモータアセンブリーにおいて、一対の前記係止部は、互いに並び方向に備えられ、かつ互いに所定間隔離間するように形成されることができる。
【００１６】
また、本発明の一実施例によるモータアセンブリーにおいて、前記係止突起は三角形状に形成されることができる。
【００１７】
また、本発明の一実施例によるモータアセンブリーにおいて、前記係止突起は、直角三角形状に形成され、かつ前記係止部の端部に向かって幅が次第に細くなる形状に形成されることができる。
【００１８】
一方、本発明の他の実施例によるモータアセンブリーは、モータに備えられ、前記モータの駆動電源を供給するためのターミナル端子と、前記ターミナル端子が結合される結合孔が形成されており、前記ターミナル端子と電気的に接続される制御器と、を含むものである。
【００１９】
また、本発明の他の実施例によるモータアセンブリーにおいて、前記ターミナル端子は、前記モータの固定子に巻き取られたコイルと電気的に連結されることができる。
【００２０】
また、本発明の他の実施例によるモータアセンブリーにおいて、前記ターミナル端子は、前記固定子の端部に形成され、前記制御器の方向に突出して形成されることができる。
【００２１】
また、本発明の他の実施例によるモータアセンブリーにおいて、前記ターミナル端子はピン状に形成されることができる。
【００２２】
また、本発明の他の実施例によるモータアセンブリーにおいて、前記結合孔は、前記ターミナル端子に対応する形状に形成されることができる。
【００２３】
また、本発明の他の実施例によるモータアセンブリーにおいて、前記制御器はＰＣＢを含むことができる。
【００２４】
また、本発明の他の実施例によるモータアセンブリーにおいて、前記ターミナル端子は、前記制御器から離脱されないように、端部に形成された一対の係止部をさらに含むことができる。
【００２５】
また、本発明の他の実施例によるモータアセンブリーにおいて、一対の前記係止部には、互いに離れる方向に係止突起が突出形成されることができる。
【発明の効果】
【００２６】
本発明によれば、モータと制御器とが容易に連結される構造を有することで、部品数が減少し、組み立て工程を単純化することができる。
【００２７】
また、これにより、モータの長さが短くなり、重量及び価格を減少させることができる。
【図面の簡単な説明】
【００２８】
【図１】本発明の実施例によるモータアセンブリーを示した正面図である。
【図２】本発明の実施例によるモータアセンブリーを示した分離正面図である。
【図３】本発明の実施例によるモータアセンブリーを示した分離斜視図である。
【図４】本発明の実施例によるモータアセンブリーの要部を示した分離斜視図である。
【図５】本発明の実施例によるモータアセンブリーのターミナル端子の他の例を示した断面図である。
【発明を実施するための形態】
【００２９】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３０】
以下、添付図面を参照して、本発明の好ましい実施例を詳細に説明する。
【００３１】
図１は、本発明の実施例によるモータアセンブリーを示した正面図である。
【００３２】
図１を参照すれば、本発明の実施例によるモータアセンブリーは、ターミナル端子３０と、制御器４０と、を含む。
【００３３】
図２は、本発明の実施例によるモータアセンブリーを示した分離正面図であり、図３は、本発明の実施例によるモータアセンブリーを示した分離斜視図であり、図４は、本発明の実施例によるモータアセンブリーの要部を示した分離斜視図である。
【００３４】
図１から図４を参照すれば、ターミナル端子３０は、モータＭの固定子２０に備えられ、前記固定子２０に巻き取られたコイル２１と電気的に連結される。これにより、ターミナル端子３０を介してモータＭの駆動電源を供給することができる。
【００３５】
ここで、モータＭは、コイル２１が巻き取られた固定子２０と、回転軸（不図示）が備えられた回転子（不図示）と、ハウジング１０と、を含むことができる。この際、固定子２０及び回転子は、ハウジング１０に収容することができる。
【００３６】
ターミナル端子３０は、固定子２０の端部に形成され、制御器４０の方向に突出形成される。例えば、ターミナル端子３０は、図２において下部方向に突出形成させることができるが、本発明の実施例によるターミナル端子３０の突出方向が必ずしもこれに限定されるものではない。
【００３７】
制御器４０はターミナル端子３０に結合され、ターミナル端子３０への電気的な入出力を制御する。
【００３８】
また、制御器４０には、ターミナル端子３０を結合させる結合孔４１が形成されている。ここで、結合孔４１は、例えば、円形または四角形の形状に形成することができる。または、結合孔４１は、例えば、ターミナル端子３０に対応する形状に形成することができる。
【００３９】
そして、制御器４０は、ＰＣＢ（Ｐｒｉｎｔ  Ｃｉｒｃｕｉｔ  Ｂｏａｒｄ）を含んで構成することができる。
【００４０】
尚、制御器４０には、ホールセンシン部５０を取り付けることができる。また、ホールセンシン部５０は、ホールセンサ（Ｈａｌｌ  Ｓｅｎｓｏｒ）５１と、ホールセンサ５１が結合されるホルダ（Ｈｏｌｄｅｒ）５２と、を含むことができる。ここで、ホールセンサ５１は、モータＭの回転軸に取り付けられたマグネットの回転を検知することができる。
【００４１】
一方、ターミナル端子は、例えば、ピン（Ｐｉｎ）状に形成することができる。ここで、ターミナル端子３０は、長方形の柱状または板状に形成され、その端部は幅が次第に細くなるテーパ状に形成することができるが、本発明がこれに限定されるものではない。
【００４２】
図５は、本発明の実施例によるモータアセンブリーのターミナル端子の他の例を示した断面図である。
【００４３】
尚、図５を参照すれば、ターミナル端子３０は、他の例として、ホック（ｈｏｏｋ）状に形成することができる。ここで、ターミナル端子３０の端部には、係止部３１を形成することができる。
【００４４】
そして、係止部３１は、複数個が互いに並ぶように備えることができる。例えば、係止部３１は、一対からなることができるが、本発明がこれに限定されるものではない。この際、一対の係止部３１には、互いに離れる方向に突出された係止突起３１ａをそれぞれ形成することができる。
【００４５】
また、係止突起３１ａは、三角形状に形成される。例えば、係止突起３１ａは、直角三角形状に形成することができるが、本発明がこれに限定されるものではない。ここで、係止突起３１ａは、係止部３１の端部に向かって幅が次第に細くなる形状に形成される。これにより、制御器４０に形成された結合孔４１に容易に挿入することができる。
【００４６】
ここで、一対の係止部３１に形成された一対の係止突起３１ａの全体幅は、制御器４０の結合孔４１の直径より大きく形成される。これにより、制御器４０からターミナル端子３０が離脱されなくなる。
【００４７】
一方、一対の係止部３１は、ターミナル端子３０の端部に長さ方向に延びて互いに並び方向に形成することができる。この際、一対の係止部３１は、互いに所定間隔離間するように形成することができる。これにより、ターミナル端子３０が制御器４０の結合孔４１に挿入されるときに一対の係止部３１が互いに隣接する方向に曲げられ、結合孔４１に挿入された後には、さらに互いに並ぶ元の状態を維持することができる。
【００４８】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００４９】
本発明の単純な変形乃至変更はいずれも本発明の領域に属するものであり、本発明の具体的な保護範囲は添付の特許請求の範囲により明確になるであろう。
【産業上の利用可能性】
【００５０】
本発明は、モータアセンブリーに適用可能である。
【符号の説明】
【００５１】
１０  ハウジング
２０  固定子
２１  コイル
３０  ターミナル端子
３１  係止部
３１ａ  係止突起
４０  制御器
４１  結合孔
５０  ホールセンシン部
５１  ホールセンサ
５２  ホルダ
Ｍ  モータ
【図１】
2015128371.tif 000003
【図２】
2015128371.tif 000004
【図３】
2015128371.tif 000005
【図４】
2015128371.tif 000006
【図５】
2015128371.tif 000007